(57)【特許請求の範囲】
【請求項１】
引出し構造体であって、
収容体と、
前記収容体に収容され、引き出し方向となる所定方向及びその反対方向に移動自在の外引出しと、
前記外引出しの内部に設置され、前記所定方向及び前記反対方向に移動自在の内引出しと、
前記外引出し又は前記内引出しに取り付けられた係合部材と、
前記内引出し又は前記外引出しに取り付けられ、前記係合部材が脱着自在に係合する被係合部材と、
前記収容体及び前記係合部材に取り付けられ、前記係合部材と前記被係合部材との係合を解除する解除手段とを備え、
前記外引出し及び前記内引出しが前記収容体に収容された状態において、前記係合部材及び被係合部材は係合し、前記外引出しが所定位置まで引出されるまでは前記係合部材及び被係合部材は係合した状態で前記外引出し及び前記内引出しは連動して移動し、前記外引出しが前記所定位置を超えて引き出されると、前記解除手段は前記係合部材と前記被係合部材との係合を解除し、
前記係合部材は、前記外引出しに取り付けられ、第１の位置と第２の位置との間で揺動可能に構成され、
前記被係合部材は、前記内引出しに取り付けられ、前記第１の位置における前記係合部材に係合し、前記第２の位置における前記係合部材との係合が解除され、
前記解除手段は、前記収容体の内面に設置されたピンを含み、前記ピンは、前記外引出しが前記所定位置まで引き出された時に前記係合部材に接触し、前記係合部材を前記第１の位置から前記第２の位置へ揺動させる、引出し構造体。
【請求項２】
前記係合部材は、前記第１の位置にあるときは前記第２の位置に対して反対方向に付勢し、前記第２の位置にあるときは前記第１の位置に対して反対方向に付勢する付勢手段を含む、請求項１記載の引出し構造体。
【請求項３】
前記収容体には、前記ピンの取り付け位置が前記所定方向に複数設けられる、請求項１又は請求項２記載の引出し構造体。
【請求項４】
前記係合部材は、前記外引出しが前記反対方向に向けて収容されるとき、前記第１の位置又は前記第２の位置にかかわらず前記ピンの位置を通過できるように構成される、請求項１から請求項３のいずれかに記載の引出し構造体。
【請求項５】
前記係合部材は、前記第２の位置にあるとき、前記被係合部材に接触するように前記外引出しと前記内引出しとが近づくと、前記第１の位置に移動して前記被係合部材に係合する、請求項１から請求項４のいずれかに記載の引出し構造体。
【発明の詳細な説明】
【技術分野】
【０００１】
この発明は引出し構造体に関し、特に、外引出しと外引出しの内部に設置された内引出しとを備える引出し構造体に関するものである。
【背景技術】
【０００２】
外引出しと、外引出しの内部に設置された内引出しとを備える引出し構造体は種々提案されている。その中で、内引出しの収納物を一度の引出し動作で取り出すために、外引出しを引き出すと内引出しが連動して引き出される引出し構造体（例えば、特許文献１）について説明する。
【０００３】
図１３は特許文献１で開示された外引出し及び内引出しを備えたシステムキッチンの斜視図であって、外引出しを引き出した状態を示すものであり、図１４は図１３で示したＸＩＶ−ＸＩＶラインの拡大断面図であり、図１５は図１４で示したＸＶ−ＸＶラインの拡大断面図である。
【０００４】
これらの図を参照して、引出し構造体７０は、ワークトップ７１の下に前面が開放された収容スペースが形成されている。そして、この収容スペース内に、引き出し自在に収容される外引出し７２と、外引出し７２の内部に設置された内引出し７３とを備えている。
【０００５】
外引出し７２は、前面側（図１４の左側）の板状の前扉７４と、前扉７４に接続する底板７５及び側板７６ａ、７６ｂ（図示せず）と、前扉７４に対向する背板７７とによって、上面側を開口とする箱型形状に形成されている。この外引出し７２の背板７７は、その収容側（図１４の右側）の面に、幅方向（紙面に対し直交する方向）の両端から収容側に延びる固定板７８ａ、７８ｂ（図示せず）が設置されている。尚、外引出し７２は、図示しない受けレールと、側板７６ａ、７６ｂ（図示せず）の下部に設置された図示しないインナーレールとによって、引き出し自在に構成されている。
【０００６】
内引出し７３は、前板８０と、前板８０に接続する底板８１及び側板８２ａ、８２ｂ（図示せず）と、前板８０に対向する背板８３とによって、上面側を開口とする箱型形状に形成されている。尚、内引出し７３においても、図示しない受けレールと、側板８２ａ、８２ｂ（図示せず）の下部に設置された図示しないインナーレールとによって、外引出し７２と同一方向に引き出し自在に構成されている。
【０００７】
又、外引出し７２の背板７７には、その収容側の面に取付けられた固定板７８ａ、７８ｂ（図示せず）を介してメス型嵌合部材８６ａ、８６ｂ（図示せず）が取付けされている。又、内引出し７３の背板８３には、その収容側の面に取付けられた固定板８４ａ、８４ｂ（図示せず）を介してオス型嵌合部材８７ａ、８７ｂ（図示せず）が取付けされている。これらのメス型嵌合部材８６ａ、８６ｂ（図示せず）の各々とオス型嵌合部材８７ａ、８７ｂ（図示せず）の各々とが嵌合することによって、外引出し７２と内引出し７３とが連動して移動するよう構成されている。
【０００８】
メス型嵌合部材８６ａは、固定板８４ａに接続される平面視Ｕ字状の合成樹脂よりなるローラー胴部８８ａと、ローラー胴部８８ａに設けられた軸に対し回動自在に取り付けされるローラー８９及びローラー９０とを備えている。このメス型嵌合部材８６ａに対してオス型嵌合部材８７ａは、図で示すようにローラー胴部８８ａ内のスペースに位置することで嵌合状態となる。このような嵌合状態にするために、又は、この嵌合状態から脱出するために、ローラー胴部８８ａをオス型嵌合部材８７ａにより変形させ、更には、ローラー８９及びローラー９０を回転させる。このようにすることでオス型嵌合部材８７ａとメス型嵌合部材８６ａの嵌合及び脱出がスムーズになる。
【０００９】
図１６は図１３で示した引出し構造体の引き出し動作の工程を示す断面図である。
図を参照して、図１６の（１）は、外引出し７２及び内引出し７３が収容スペースに完全に収容されている状態を示している。この状態においては、外引出し７２及び内引出し７３は、メス型嵌合部材８６ａ及びオス型嵌合部材８７ａにより嵌合状態にある。そして、外引出し７２の前扉７４を把持し、前面方向（図１６左方向）へ引き出すと連動して内引出し７３も引き出される。そして、外引出し７２が元の位置よりＬ１だけ移動し、内引出し７３が構造上これ以上引き出せなくなった状態を、図１６の（２）で示している。この状態では、外引出し７２は、まだＬ２だけ前面方向へ引き出す余裕があるように設定されている。したがって、更に、外引出し７２を前面方向へ移動させると、嵌合状態は解除され、図１６の（３）の状態となる。
【先行技術文献】
【特許文献】
【００１０】
【特許文献１】特開２０１１−０９２２２７号公報
【発明の概要】
【発明が解決しようとする課題】
【００１１】
上記のような従来の引出し構造体は、上述の通り、外引出しと内引出しの嵌合状態の解除を、内引出しを限界まで引き出して移動できない状態にし、外引出しを更に引き出すことにより行う。このため、再び図１６の（３）を参照し、外引出しを引き出した時に、その上面の開口が広く内引出しに覆われる状態となる。したがって、内引出しの収容物を利用しない時には、再び、引き出された内引出しの収容動作を即座に行うことが多い。このことは、外引出し内にある物の取出し及び外引出し内への物の収納の際に手間となり非常に不便である。
【００１２】
この発明は、上記のような課題を解決するためになされたもので、引き出し時に、外引出しと内引出しとの連動が所定位置で解除される引出し構造体を提供することを目的とする。
【課題を解決するための手段】
【００１３】
上記の目的を達成するために、請求項１記載の発明は、引出し構造体であって、収容体と、収容体に収容され、引き出し方向となる所定方向及びその反対方向に移動自在の外引出しと、外引出しの内部に設置され、所定方向及び反対方向に移動自在の内引出しと、外引出し又は内引出しに取り付けられた係合部材と、内引出し又は外引出しに取り付けられ、係合部材が脱着自在に係合する被係合部材と、収容体及び係合部材に取り付けられ、係合部材と被係合部材との係合を解除する解除手段とを備え、外引出し及び内引出しが収容体に収容された状態において、係合部材及び被係合部材は係合し、外引出しが所定位置まで引出されるまでは係合部材及び被係合部材は係合した状態で外引出し及び内引出しは連動して移動し、外引出しが所定位置を超えて引き出されると、解除手段は係合部材と被係合部材との係合を解除し、係合部材は、外引出しに取り付けられ、第１の位置と第２の位置との間で揺動可能に構成され、被係合部材は、内引出しに取り付けられ、第１の位置における係合部材に係合し、第２の位置における係合部材との係合が解除され、解除手段は、収容体の内面に設置されたピンを含み、ピンは、外引出しが所定位置まで引き出された時に係合部材に接触し、係合部材を第１の位置から第２の位置へ揺動させるものである。
【００１４】
このように構成すると、外引出しが所定位置を超えて引き出されると、係合部材と被係合部材との係合が解除される。又、係合部材はピンとの接触で被係合部材との係合が解除される。
【００１７】
請求項２記載の発明は、請求項１記載の発明の構成において、係合部材は、第１の位置にあるときは第２の位置に対して反対方向に付勢し、第２の位置にあるときは第１の位置に対して反対方向に付勢する付勢手段を含むものである。
【００１８】
このように構成すると、係合部材の位置が不用意に変わらない。
【００１９】
請求項３記載の発明は、請求項１又は請求項２記載の発明の構成において、収容体には、ピンの取り付け位置が所定方向に複数設けられるものである。
【００２０】
このように構成すると、係合部材と被係合部材との係合状態の解除位置を選択できる。
【００２１】
請求項４記載の発明は、請求項１から請求項３のいずれかに記載の発明の構成において、係合部材は、外引出しが反対方向に向けて収容されるとき、第１の位置又は第２の位置にかかわらずピンの位置を通過できるように構成されるものである。
【００２２】
このように構成すると、ピンの存在が外引出しの収容を阻害しない。
【００２３】
請求項５記載の発明は、請求項１から請求項４のいずれかに記載の発明の構成において、係合部材は、第２の位置にあるとき、被係合部材に接触するように外引出しと内引出しとが近づくと、第１の位置に移動して被係合部材に係合するものである。
【００２４】
このように構成すると、外引出しを内引出しの方向に移動させると係合部材と被係合部材とが係合する。
【発明の効果】
【００２５】
以上説明したように、請求項１記載の発明は、外引出しが所定位置を超えて引き出されると、係合部材と被係合部材との係合が解除されるため、外引出しの所定位置で内引出しとの連動が解除となり、使い勝手が向上する。又、係合部材はピンとの接触で被係合部材との係合が解除されるため、ピンの位置で解除位置が定まるので、使用時の信頼性が向上する。
【００２７】
請求項２記載の発明は、請求項１記載の発明の効果に加えて、係合部材の位置が不用意に変わらないため、使用状態が安定する。また、引き出し抵抗に応じて付勢手段の付勢力を設定すれば、より使い勝手が向上する。
【００２８】
請求項３記載の発明は、請求項１又は請求項２記載の発明の効果に加えて、係合部材と被係合部材との係合状態の解除位置を選択できるため、使用状態に応じて内引出しの引き出し位置の設定が可能となり、使い勝手がより向上する。
【００２９】
請求項４記載の発明は、請求項１から請求項３のいずれかに記載の発明の効果に加えて、ピンの存在が外引出しの収容を阻害しないため、係合部材の状態にかかわらず外引出しの収容動作が安定する。
【００３０】
請求項５記載の発明は、請求項１から請求項４のいずれかに記載の発明の効果に加えて、外引出しを内引出しの方向に移動させると係合部材と被係合部材とが係合するため、外引出しと内引出しとを連動状態に容易に戻せる。
【図面の簡単な説明】
【００３１】
【図１】この発明の第１の実施の形態による引出し構造体を示す断面図であって、従来例の図１４に対応するものである。
【図２】図１で示したＩＩ−ＩＩラインの断面図である。
【図３】図２で示したＩＩＩ−ＩＩＩラインの拡大断面図である。
【図４】図２で示したＩＶ−ＩＶラインの一部省略の拡大断面図である。
【図５】図１で示した収容体の背板を外した状態におけるＸ部分の拡大斜視図である。
【図６】図１で示した引出し構造体の引き出し動作の工程を示す断面図である。
【図７】図６で示した引き出し動作に対応した解除手段の変化状態を示す図である。
【図８】図６で示した引き出し動作に対応した係合部材及び被係合部材の変化状態を示す図である。
【図９】図１で示した引出し構造体の収容動作の工程を示す断面図である。
【図１０】図９で示した引き出し動作に対応した係合部材及び被係合部材の変化状態を示す図である。
【図１１】図９で示した引き出し動作に対応した解除手段の変化状態を示す図である。
【図１２】この発明の第２の実施の形態による引出し構造体を示す断面図であって、先の実施の形態の図３に対応するものである。
【図１３】従来のキッチンキャビネットを組み込み設置したシステムキッチンの斜視図であって、外引出しを引き出した状態を示すものである。
【図１４】図１３で示したＸＩＩＩ−ＸＩＩＩラインの拡大断面図である。
【図１５】図１４で示したＸＩＶ−ＸＩＶラインの拡大断面図である。
【図１６】図１２で示した引出し構造体の引き出し動作の工程を示す断面図である。
【発明を実施するための形態】
【００３２】
図１はこの発明の第１の実施の形態による引出し構造体を示す断面図であって、従来例の図１４に対応するものであり、図２は図１で示したＩＩ−ＩＩラインの断面図であり、図３は図２で示したＩＩＩ−ＩＩＩラインの拡大断面図であり、図４は図２で示したＩＶ−ＩＶラインの一部省略の拡大断面図であり、図５は図１で示した収容体の背板を外した状態におけるＸ部分の拡大斜視図である。尚、図３においては図の理解を容易とするため、図４で現れる部材の記載は省略する。
【００３３】
これらの図を参照して、引出し構造体１は、主に、収容体１０と、収容体１０内に引き出し自在に収容される外引出し１１と、外引出し１１の内部に設置された内引出し１２とから構成される。この外引出し１１には係合部材１５ａ、１５ｂが、内引出し１２には被係合部材１６ａ、１６ｂが、設けられることにより、両者は、図１で示す収容状態において、係合状態となる。この状態から外引出し１１が所定方向（図１の左方向）に引き出されると、連動して内引出し１２も移動する。そして、所定位置まで引き出されると、係合は解除手段１７により解除される。
【００３４】
尚、係合部材、被係合部材及び解除手段についての詳細は後述する。又、外引出し１１と内引出し１２とが係合する機構及び動作についての詳細も後述する。
【００３５】
収容体１０は、ワークトップ２０と、ワークトップ２０から下方に垂直に伸びる縦仕切板２１ａ、２１ｂと、背板２２と、中仕切板２３とによって、外引出し１１及び内引出し１２を引き出し自在に収容する収容スペースを形成している。又、収容体１０の縦仕切板２１ａ、２１ｂの内側面には、係合の解除手段１７の一部であるピン２４が設置されている。ピン２４の詳細な機能については後述する。
【００３６】
尚、引出し構造体１は、図２で示す断面に対して、左右対称な構成を有している。そこで、以下、係合部材１５ａ、１５ｂ被係合部材１６ａ、１６ｂ及び解除手段１７等の構造については、縦仕切板２１ａ側（図２の右側）のみを中心に説明する。
【００３７】
外引出し１１は、収容体１０が形成する収容スペースの下方に設置され、収容体１０の開口側（図１の左側）に位置する短形状の前扉３０と、前扉３０から収容体１０の背板２２側（図１の右側）に延びる短形状の底板３１及び側板３２ａ、３２ｂ（図示せず）と、底板３１及び側板３２ａ、３２ｂ（図示せず）の収容側（図１の右側）端部に接続され、前扉３０に対向する短形状の背板３３とによって、上面側を開口とする箱型形状に形成されている。尚、外引出し１１は、図示しない受けレールと、側板３２ａ、３２ｂ（図示せず）の下部に設置された図示しないインナーレールとによって、引き出し方向となる所定方向（図１の左方向）及びその反対方向に移動自在に構成されている。
【００３８】
そして、上述の通り、外引出し１１の背板３３の収容側の面であって、その幅方向（所定方向に対して直交する水平方向）の両端の一方には、係合部材１５ａが設置されている。係合部材１５ａは、背板３３に図示しないネジにより取り付けされる短形状の固定板３４と、固定板３４の上方端部に、軸３８を介して揺動可能に取り付けされる側面視（図３に示す方向）Ｕ字状及び正面視（図２に示す方向）Ｊ字状のレバー３５と、その付勢力によりレバー３５の揺動を制限する引きバネ４１とからなる。
【００３９】
そして、レバー３５の揺動の範囲は、固定板３４に設けられた立ち上げ部３９及び立ち上げ部４０により規制される。ここで、レバー３５の下方部が、図３で示すような立ち上げ部３９に接触する状態を係合部材１５ａの第１の位置、その上方部が立ち上げ部４０に接触する状態を係合部材１５ａの第２の位置と定義する。
【００４０】
又、固定板３４及びレバー３５の各々には、側板３２ａから遠ざかる方向に延びるバネ掛け４２及びバネ掛け４３が設けられている。ここに、引きバネ４１が掛け渡され、レバー３５の揺動を制限している。
【００４１】
具体的には、図３で示すレバー３５の第１の位置においては、揺動の中心である軸３８の紙面左側に、引きバネ４１が位置するように構成されている。このため、レバー３５は、軸３８を中心として図３の二点鎖線矢印で示す反時計回り方向に付勢される。一方、後述するように、図３においてレバー３５が第２の位置にあるとすると、引きバネ４１は軸３８の紙面右側に位置するように構成されている。このため、レバー３５は、時計回り方向に付勢される。即ち、係合部材は、付勢手段となる引きバネ４１によって第１の位置にあるときは第２の位置に対して反対方向に付勢され、第２の位置にあるときは第１の位置に対して反対方向に付勢される構成を有している。このように、引きバネ４１が、軸３８を中心にしてレバー３５を常に付勢しているので、係合部材１５ａの位置が不用意に変わることが無い。このため、引出し構造体１の使用状態（係合部材１５ａと被係合部材１６ａとの係合状態）が安定する。また、引出し構造体１は、引きバネ４１の取替えにより、引き出し抵抗に応じて付勢手段の付勢力を設定できるので、使い勝手がよい。
【００４２】
又、レバー３５には、側板３２ａ側に、上述した、解除手段の一部分が軸３８を介して取り付けされる。この解除手段１７は、上述のピン２４と、レバー３５に図示しないネジにより固定されるストライカーベース４５と、ストライカーベース４５に軸４６を介して揺動可能に取り付けされるストライカー４７とからなる。このストライカー４７は、上述した、外引出し１１の引き出し時にピン２４に接触し、傾斜することで係合部材１５ａと被係合部材１６ａとの係合を解除する手段として機能する。係合解除の仕組みについての詳細は後述する。
【００４３】
尚、ストライカー４７の揺動は、ストライカーベース４５に設けられた立ち上げ部４８により、図４における軸４６を中心とする時計回り方向への揺動が規制される。一方、軸４６に内蔵された図示しないねじりバネにより、ストライカー４７を図４における時計回り方向に付勢することで反時計回り方向への揺動は可能であるが、常に図４の位置に復帰するように構成されている。したがって、ストライカー４７は図４で示す実線矢印の範囲において揺動が可能となる。
【００４４】
又、ピン２４は、引き出し時及び収容時において、ストライカー４７のみに接触するような大きさ、位置に設定されている。
【００４５】
内引出し１２は、収容体１０が形成する収容スペースの上方に設置され、収容体１０の開口側に位置する短形状の前板５０と、前板５０から収容体１０の背板２２側に延びる短形状の底板５１及び側板５２ａ、５２ｂ（図示せず）と、底板５１及び側板５２ａ、５２ｂ（図示せず）の収容側端部に接続され、前板５０に対向する短形状の背板５３とによって、上面側を開口とする箱型形状に形成されている。尚、外引出し１１と同様に、内引出し１２は、図示しない受けレールと、側板５２ａ、５２ｂ（図示せず）の下部に設置された図示しないインナーレールとによって、引き出し方向となる所定方向（図１の左方向）及びその反対方向に移動自在に構成されている。
【００４６】
そして、上述の通り、内引出し１２の底板５１の収容側下面であって、その幅方向（所定方向に対して直交する水平方向）の両端の一方には、被係合部材１６ａが設置されている。被係合部材１６ａは、底板５１に図示しないネジにより取り付けされ、側面視三角形状及び正面視逆Ｕ字状の短形状の固定板５４と、固定板５４の下方端において固定された係合棒５５とからなる。
【００４７】
そして、係合棒５５が、第１の位置にあるレバー３５のＵ字状の溝部３６に位置することで係合部材１５ａと被係合部材１６ａとの係合状態となる。
【００４８】
次に、外引出し及び内引出しの収容状態からの引き出し動作及びそれに伴う係合部材や被係合部材等の動作について説明する。
【００４９】
図６は図１で示した引出し構造体の引き出し動作の工程を示す断面図であり、図７は図６で示した引き出し動作に対応した解除手段の変化状態を示す図であり、図８は図６で示した引き出し動作に対応した係合部材及び被係合部材の変化状態を示す図であり、各図の（１）〜（３）が対応関係にある。尚、図８においては図の理解を容易とするため、図７で現れる部材の記載は省略する。
【００５０】
図１で示す収納状態から外引出しの前扉を把持して、所定方向に僅かに引き出すと図６の（１）で示す状態となる。
【００５１】
まず、図６の（１）、図７の（１）、図８の（１）を参照して、係合部材が第１の位置にあり、係合状態にある外引出し１１及び内引出し１２が、連動して所定方向に引き出される状態を示している。又、ピン２４とストライカー４７とが、間もなく接触する状態を示している。外引出し１１には図８で示すように白塗矢印で示す所定方向への力が作用し、これと大きさの等しい同一方向への力が、レバー３５のＵ字状の溝部から係合棒５５に作用し、内引出し１２を押し進めている。尚、内引出し１２の連動時に、レバー３５は係合棒５５からの黒塗矢印で示す、所定方向とは反対方向への僅かな力を受け、軸３８を中心に時計回り方向へ付勢される。しかし、第１の位置におけるレバー３５は、上述のように常に引きバネ４１により反時計回り方向にそれ以上の大きさの力で付勢されているため、第２の位置に揺動することはない。
【００５２】
この状態より、更に、外引出しを引き出すと図６の（２）の状態となる。
【００５３】
次に、図６の（２）、図７の（２）、図８の（２）を参照して、ストライカー４７がピン２４に接触すると引きバネ４１の付勢力に抗してストライカー４７はレバー３５と一体となって傾き、係合部材１５ａが第１の位置から第２の位置に移行する途中の状態を示している。具体的には、この状態において、ストライカー４７は、所定方向へ移動している。一方、ピン２４は収容体１０に設置されているため、相対的にはストライカー４７を黒塗矢印で示す、所定方向とは反対方向へ押す形になる。このため、ストライカー４７は、軸３８を中心に実線矢印で示す時計回り方向に付勢される。この状態においてストライカー４７は、立ち上げ部４８に接触している。したがって、ストライカー４７が取付けされたストライカーベース４５が傾く。更には、ストライカーベース４５と図示しないネジにより一体に固定されたレバー３５も連動して傾く。
【００５４】
この状態より、更に、外引出しを引き出すと図６の（３）の状態となる。
【００５５】
次に、図６の（３）、図７の（３）、図８の（３）を参照して、外引出しの係合部材１５ａが完全に第２の位置となり、レバー３５と係合棒５５の係合が解除された状態を示している。この状態では、係合部材１５ａと被係合部材１６ａとの係合が解除されているため、外引出し１１のみが引き出され、内引出し１２は連動せずその位置で停止する。そして、更に、この状態から、内引出し１２を引き出すことが可能となる。
【００５６】
このように、引出し構造体１は、外引出し１１が所定位置を超えて引き出されると、レバー３５と係合棒５５との係合が解除される構造を有する。このため、外引出し１１の所定位置で内引出し１２との連動が解除となり、更に外引出し１１を引き出した場合に、図１３で示した従来の引出し構造体と比較して、内引出し１２が外引出し１１の上面の開口を塞ぐ程度が少なくなる。したがって、外引出し１１内にある物の取出しや外引出し１１への収納がし易くなり、使い勝手が向上する。
【００５７】
又、この係合の解除を、所定位置にピン２４を設置して行うことによりできるので、使い勝手が向上する。
【００５８】
次に、外引出し及び内引出しの引き出し状態からの収容動作及びそれに伴う係合部材や被係合部材等の動作について説明する。
【００５９】
図９は図１で示した引出し構造体の収容動作の工程を示す断面図であり、図１０は図９で示した引き出し動作に対応した係合部材及び被係合部材の変化状態を示す図であり、図１１は図９で示した引き出し動作に対応した解除手段の変化状態を示す図であり、各図の（１）〜（３）が対応関係にある。尚、図１０においては図の理解を容易とするため、図１１で現れる部材の記載は省略する。
【００６０】
まず、図６の（３）で示す状態から外引出しを限界まで所定方向へ引き出し、更に、内引出しを僅かに引き出した状態を引き出し状態とする。この引き出し状態から外引出しの前扉を把持して、所定方向の反対方向に移動させると図９の（１）で示す状態となる。
【００６１】
次に、図９の（１）、図１０の（１）、図１１の（１）を参照して、レバー３５が係合棒５５に接触して僅かに傾き、係合部材１５ａが第２の位置から第１の位置に移行する途中の状態を示している。すなわち、係合状態に移行する途中の状態である。外引出し１１を白塗矢印で示す、所定方向とは反対方向へ移動させ、レバー３５と係合棒５５とを接触させると、接触時の衝撃により係合棒５５からレバー３５に黒塗矢印で示す所定方向への力が作用する。このため、レバー３５は、軸３８を中心に反時計回り方向に付勢され、係合部材１５ａは第２の位置から第１の位置に移行していく。又、ストライカー４７及びストライカーベース４５もこれに連動し傾く。
【００６２】
このように、外引出し１１を内引出し１２の方向に移動させるとレバー３５と係合棒５５とが係合するため、外引出し１１と内引出し１２とを連動状態に容易に戻せる。
【００６３】
この状態より、更に、外引出しを所定方向の反対方向に移動させると図９の（２）で示す状態となる。
【００６４】
次に、図９の（２）、図１０の（２）、図１１の（２）を参照して、係合部材１５ａが第１の位置にあるレバー３５が係合棒５５と係合状態にあり、外引出し１１及び内引出し１２が連動して移動する状態を示している。又、間もなくストライカー４７とピン２４とが接触する状態を示している。
【００６５】
この状態より、更に、外引出しを所定方向の反対方向に移動させると図９の（３）で示す状態となる。
【００６６】
次に、図９の（３）、図１０の（３）、図１１の（３）を参照して、ストライカー４７には、ピン２４に接触することにより、黒塗矢印で示す所定方向への力が作用している。そして、ストライカー４７が、軸４６を中心実線矢印で示す反時計回り方向に付勢され、傾いている状態を示している。
【００６７】
このように、ストライカー４７が揺動するように構成されることで、ピン２４の存在が外引出し１１の収容（係合部材１５ａのピン２４の通過）を阻害しない。したがって、レバー３５の状態にかかわらず外引出し１１の収容動作が安定する。
【００６８】
この状態より、更に、外引出し１１を所定方向の反対方向に移動させ、ピン２４を通過させると、ストライカー４７は軸４６に内蔵された図示しないねじりバネにより時計回り方向へ付勢され、再び、立ち上げ部４８に接触する。そして、更に、外引出しを所定方向の反対方向に移動させると図１で示す収容状態となる。
【００６９】
尚、図９の（１）における係合部材の１５ａの被係合部材１６ａに対する接触時の衝撃が弱い場合においては、レバー３５が、係合棒５５に係合することなく、係合部材１５ａが第２の位置を維持しながら、内引出し１２を押し進めていく場合もある。このような場合においては、まず先に内引出し１２が収容体１０の背板２２まで到達し停止する。そして、そこへ外引出し１１のレバー３５が押し込まれることにより、係合部材１５ａが第２の位置から第１の位置へ移行して被係合部材１６ａとの係合状態となり、結果として図１の収容状態となる。
【００７０】
又、外引出しは、図示しないレールに引きバネが内蔵されている。そして、この引きバネを、引き出し時において所定量だけ伸ばし、収容時において縮ませることにより、外引出し及び内引出しが自動的に完全に収容されるように構成している。尚、外引出しの収容に伴って内引出しは連動して収容されるため、本実施形態においては、外引出しのみに引きバネが内蔵されている。ここで、仮に、外引出し及び内引出しの両方に引きバネを内蔵したとすると、引き出しに要する力が重くなり、使い勝手の悪いものとなる。したがって、外引出しのみに引きバネを設けることは、収容を完全にすると共に使い勝手を向上させ、コスト面でも有利である。
【００７１】
更に、内引出しは、図示しないレールにダンパーが内蔵されており、収容時の衝撃を緩和している。尚、収容状態において、内引出しが外引出しよりも必ず先に収容体の背板に近づくように構成されているため、外引出しにはダンパーを内蔵する必要が無いので全体のダンパー力が軽減され、確実な引込みが可能となる。したがって動作面及びコスト面において有利である。
【００７２】
図１２はこの発明の第２の実施の形態による引出し構造体を示す断面図であって、先の実施の形態の図３に対応するものである。尚、第２の実施の形態における引出し構造体は、先の実施の形態におけるものと比較して、収容体の縦仕切板のみが相違するため、その点を中心に説明し、外引出し及び内引出し等についての説明は省略する。
【００７３】
図を参照して、縦仕切板６１の内側面には、係合の解除手段であるピン２４を取り付けるための複数の穴部６３〜６５が所定方向に整列して設けられている。そして、その中の一の穴部６４には、ピン２４が脱着自在に差し込まれている。尚、ピン２４は、他の穴部６３、６５に差し替えて取付けることができる。
【００７４】
又、ピン２４は、上述の通り、引き出し時に所定位置において、係合状態にある外引出し１１及び内引出し１２の係合を解除するための手段である。したがって、ピン２４を差し込む位置を自由に変えられることは、係合部材と被係合部材との係合状態の解除位置を選択できることを意味する。したがって、外引出し１１を引き出した時における、内引出し１２の停止位置を、使用状況に応じて自由且つ容易に調節できるようになる。
【００７５】
このように、ピン２４を差し替えるための複数の穴部を設けることで、引出し構造体１の使い勝手が向上する。
【００７６】
尚、上記の各実施の形態では、引出し構造体はキッチンキャビネットを構成しているが、キッチンキャビネットに限らず、例えば、タンス等、他の目的に使用されるものであっても良い。
【００７７】
又、上記の各実施の形態では、係合部材を揺動させるように特定の構造で、被係合部材との係合及び係合解除を行なうが、係合及び係合解除は他の構造によるものであっても良い。
【００７８】
更に、上記の実施の形態では、係合部材及び被係合部材の各々を、係合部材及び被係合部材の各々の両側に設けているが、係合部材及び被係合部材の各々は、係合部材及び被係合部材の各々の片側だけに設けても良い。
【００７９】
更に、上記の実施の形態では、外引出しに係合部材を設置し、内引出しに被係合部材を設置しているが、逆に、外引出しに被係合部材を設置し、内引出しに係合部材を設置してもよい。
【００８０】
更に、上記の実施の形態では、係合部材は付勢手段（引きバネ）を備えているが、付勢手段は無くても良い。
【００８１】
更に、上記の実施の形態では、ストライカーが一方にのみ倒れて復帰できるように構成されているが、ストライカーではなく、ピンがストライカーのように一方にのみ倒れて復帰できるように構成してもよい。
【００８２】
更に、第２の実施の形態ではピンを差し込む穴部を３穴設けているが、２又は４以上の穴部を設けても良い。
【符号の説明】
【００８３】
１…引出し構造体
１１…外引出し
１２…内引出し
１５…係合部材
１６…被係合部材
１７…解除手段
２４…ピン
尚、各図中同一符号は同一又は相当部分を示す。
【図１】
0005612616.tif 000002
【図２】
0005612616.tif 000003
【図３】
0005612616.tif 000004
【図４】
0005612616.tif 000005
【図５】
0005612616.tif 000006
【図６】
0005612616.tif 000007
【図７】
0005612616.tif 000008
【図８】
0005612616.tif 000009
【図９】
0005612616.tif 000010
【図１０】
0005612616.tif 000011
【図１１】
0005612616.tif 000012
【図１２】
0005612616.tif 000013
【図１３】
0005612616.tif 000014
【図１４】
0005612616.tif 000015
【図１５】
0005612616.tif 000016
【図１６】
0005612616.tif 000017